(57)【要約】【課題】  犬や猫などのペットの首に装着する首輪であって、夜間暗闇の中を歩いても交通事故に合わないようにしたペット用首輪の提供。【解決手段】  首輪は折り返して形成されるバンド１と、複数個のＬＥＤ４，４・・及び電池を収容した電池ボックス６を取付けた基板１１、それにバンド１の両端を連結するバックル２で構成している。上記バンド１にはボックス穴７及びＬＥＤ穴８，８・・を貫通して設けると共に、ＬＥＤ穴８，８・・の周りには鳩目９，９・・を取付け、上記基板１１を２つ折りされるバンド１に挟み込むと共に電池ボックス６をボックス穴７に嵌め、ＬＥＤ４，４・・をＬＥＤ穴８，８・・に嵌める。【選択図】    図１
0003117123.tif 000002
【実用新案登録請求の範囲】
【請求項１】
犬や猫などのペットの首に装着する首輪において、該首輪は折り返して形成するバンドと、複数個のＬＥＤ及び電池を収容する電池ボックスを取付けた基板と、前記バンドの両端を連結する連結部材とで構成し、前記バンドには電池ボックスが挿通するボックス穴及びＬＥＤが挿通するＬＥＤ穴とをそれぞれ設けると共に、該ＬＥＤ穴の内周には反射面を備えた環状の装飾部材を取付け、前記基板を前記バンドで挟み込んだことを特徴とする安全発光装置を備えたペット用首輪。
【請求項２】
前記バンドを折り返す為の軸Ｍ−Ｍを長手方向の中心に設けた請求項１記載の安全発光装置を備えたペット用首輪。
【請求項３】
前記バンドを折り返す為の軸Ｍ−Ｍを長手方向に対して垂直に設けた請求項１記載の安全発光装置を備えたペット用首輪。
【請求項４】
犬や猫などのペットの首に装着する首輪において、該首輪は２枚の帯を重ね合わせたバンドと、複数個のＬＥＤ及び電池を収容する電池ボックスを取付けた基板と、前記バンドの両端を連結する連結部材とで構成し、前記バンドには電池ボックスが挿通するボックス穴及びＬＥＤが挿通するＬＥＤ穴とをそれぞれ設けると共に、該ＬＥＤ穴の内周には反射面を備えた環状の装飾部材を取付け、前記基板を前記バンドで挟み込んだことを特徴とする安全発光装置を備えたペット用首輪。
【請求項５】
前記装飾部材を鳩目とした請求項１、請求項２、請求項３、又は請求項４記載の安全発光装置を備えたペット用首輪。
【考案の詳細な説明】
【技術分野】
【０００１】
本考案は夜間散歩中のペットの位置を遠くから認知することが出来て、交通事故に遭遇しないようにする安全発光装置を備えたペット用首輪に関するものである。
【背景技術】
【０００２】
近年はペットブームであって、多くの家庭で犬や猫を飼っている場合が多く、内閣府の調べによると人口１００万人以上の大都市では約３０％、人口１５万人以上で１００万人未満の中都市では約３４％、人口５万人以上で１５万人未満の小都市では約３８％、さらに町村では約４７％がペットを飼育している。
【０００３】
そして、これらペットに費やされる費用も高くなっている。購入時の平均価格は、犬が１２万円以上、猫が７万円以上となり、そして１ヶ月当りのフード平均支出額は犬が５，６００円程度、猫が６，３００円程度となっていて、家計支出に対する大きな割合を占めるようになっている。このようなことから、ペットに対する愛情も高く、子供がいない家庭は勿論であるが、子供が大きく成長した後は、わが子のように可愛がっている。
【０００４】
従って、早朝又は夕方にペットを連れて散歩に出かけるケースは多く見受けられ、同じく公園などでもペットを遊ばせている光景を見受ける。ところで、ペットを夜間散歩させているときに交通事故に遭遇するケースが多発しており、このことはペット及びその飼主は勿論のこと、車の運転手にとっても大きな問題となっている。夜間において、車の運転手が比較的小さいペットの存在を確認することは容易でなく、急に車道側へ飛び出すことがある。勿論、ペットの存在を確認している場合であるならば、近くを走行する運転手はそれなりの注意を払うことが出来るが、存在が分からない限り無理である。
【０００５】
そこで、ペットの存在を運転手が確認し易いように工夫した考案も色々知られている。例えば、実用新案登録第３０８７５５４号に係る「交通安全等用のＬＥＤ発光プレート」は、布、皮、その他任意の柔軟な素材、又はプラスチック、ゴム、金属その他任意の硬質な素材を持って、帯状、長円形、その他任意の形状に形成し、それを積層一体化したものの積層間に１個以上のＬＥＤ、電池、ＬＳＩ、スイッチを回路に形成設置して発光プレートを設け、発光プレートをテープファスナー若しくは締結金具など付きのバンド、その他の取付け手段でペットの首輪、自転車、衣服、その他の対象物に着脱自在に取付け、又は縫着、接着、ネジ止め、カシメ止め、その他任意の固着手段で対象物に固着するように備えている。
【０００６】
このＬＥＤ発光プレートは、基本的に首輪としてペットに装着されるが、ペットの向きによっては存在が分かり難く、それにＬＥＤから照射される光はそれ程遠くまで届くことはなく、ドライバーにとって分かり難い。特に、対向車のライトの光に負けてしまって、ペットの存在を認知することが出来ない。
【０００７】
実開平２−５７３７３号に係る「動物用首輪」もＬＥＤランプと、ＬＥＤランプを点灯する駆動回路を具備したものであり、又、実開平６−３７８８３号に係る「安全表示装置」は、可撓性基板上に複数のＬＥＤを構成してなる発光体を伸縮性を有すバンド本体の表面に固着構成したものである。これら、動物用首輪及び安全表示装置の場合も実用新案登録第３０８７５５４号に係る「交通安全等用のＬＥＤ発行プレート」と同じく、ＬＥＤから照射される光が届く範囲は限られてしまう。
【特許文献１】実用新案登録第３０８７５５４号に係る「交通安全等用のＬＥＤ発光プレート」
【特許文献２】実開平２−５７３７３号に係る「動物用首輪」
【特許文献３】実開平６−３７８８３号に係る「安全表示装置」
【考案の開示】
【考案が解決しようとする課題】
【０００８】
このようにＬＥＤを備えたペット用首輪は色々知られているが、上記のごとき問題がある。本考案が解決しようとする課題はこれら問題点であり、光が遠くまで届くように構成することでドライバーは遠くから認知することが出来、対向車のライトの光が当たっても認識できるペット用首輪を提供する。
【課題を解決するための手段】
【０００９】
本考案に係るペット用首輪は、ペットの首に巻き付けることが出来るバンドで構成し、リングを形成することが出来るようにその両端には連結手段を備えて互いに連結可能な形態と成っている。そして、バンドの内部に湾曲可能なフレキシブル基板が配置され、該基板にはＬＥＤなどの発光部が複数個取付けられている。又、上記ＬＥＤを発光させる為の電源となる電池、及びＯＮ−ＯＦＦスイッチを基板に備えている。
【００１０】
ところで、バンドは折り返して形成する形態を成し、前記バンドの間に基板を挟み込んで取付ける構造としている。又、バンドには電池を収容した電池ボックスが挿通するボックス穴と、ＬＥＤが挿通するＬＥＤ穴とを設けている。そして、バンドの内部に配置した基板に取付けられているＬＥＤの光はバンドに設けたＬＥＤ穴から外へ照射されるが、本考案では前記光が遠くまで届くことが出来るように、ＬＥＤ穴の内周には、例えば鳩目などの反射面を備えた環状の装飾部材を取着し、該装飾部材の穴内にＬＥＤが配置された状態としている。尚、装飾部材は光を反射することが出来るように表面が鏡面状と成っているが、その具体的な材質や形状は限定しない。
【００１１】
一方、本考案では、バンド構造として折返し形態に限定することなく２枚の帯を重ね合わせた形態とすることもあり、その他の構成は上記の通りである。そして、２枚の帯は表側と裏側との材質を同じにする場合、又は表側帯と裏側帯の材質を異にすることも出来る。
【考案の効果】
【００１２】
本考案のペット用首輪にはＬＥＤが取付けられて光を照射することが出来ると共に、ＬＥＤは鳩目などの装飾部材内部に配置されることで、該ＬＥＤから照射される光は装飾部材の反射面に当って反射する。従って、この光は車のヘッドライトの光の如く遠くまで届き、ドライバーは遠くに居るペットを認知することが可能と成る。その為に、ペットが交通事故に遭遇しないようになる。一方では、装飾部材から光が照射されることでペットのファッション性向上をもたらしめる。
【００１３】
そして、ＬＥＤは装飾部材内部に収容された状態でバンドに取付けられる為に該ＬＥＤは保護され、ＬＥＤから照射される光はバンドに吸収されることなく装飾部材に当って反射する為に、消費電力の小さなＬＥＤで用が足りる。又、夜間の散歩中にペットが暗闇にまぎれ込んで迷子になった場合であっても、装飾部材に反射する光が遠くまで届くことで探し易くなり、一方、該装飾部材をバンドに設けたＬＥＤ穴に固定することで強度の低下が防止される。
【実施例】
【００１４】
図１は本考案の首輪を示す実施例であり、該首輪は一定幅のバンド１で構成している。バンド１の一方端部には連結部材と成るバックル２を取着し、他方端部近傍には複数穴３，３・・を等間隔で設けている。そして、該バンド１内には複数のＬＥＤ４，４・・を内蔵し、該ＬＥＤ４，４・・をＯＮ−ＯＦＦする為の切り替えスイッチ５を有し、ＬＥＤ４，４・・が発光する電源と成る電池を内蔵している電池ボックス６を備えている。
【００１５】
図２は展開した(開いた)状態のバンド１を表しているが、該バンド１は図１に示すように２つ折りして構成される。その為に、軸Ｍ−Ｍを中心として穴３ａ，３ｂが左右対称位置に貫通して設けられ、又、軸Ｍ−Ｍの左側には正方形のボックス穴７が設けられている。そして、軸Ｍ−Ｍの左側には５個のＬＥＤ穴８，８・・が形成され、このＬＥＤ穴８，８・・には鳩目９，９・・が取着されている。鳩目９の表面は鏡面状に仕上げられて、光の反射を良好ならしめている。
【００１６】
図３は上記展開したバンド１に基板１１を取付ける場合を表している。ところで、基板１１は湾曲可能なフレキシブルな材質からなり、その形状は細長い長方形を成している。そして、上面には５個のＬＥＤ４，４・・が等間隔で取付けられ、一方端部には直方体の電池ボックス６が取着されている。電池ボックス６の内部にはＬＥＤ４，４・・を発光する電池が収容され、上部にはスイッチ５を備えている。
【００１７】
この基板１１は２つ折りされる上記バンド１に収容されるが、電池ボックス６はボックス穴７に嵌り、ＬＥＤ４，４・・はＬＥＤ穴８，８・・に嵌り、その状態でバンド１は軸Ｍ−Ｍを中心として折畳まれる。図４はバンド１が２つ折りされて基板１１が収容された場合で、電池ボックス６はバンド１から突出する。そして、該バンド１の先端にはバックル２が取付けられ、図５のようになる。２つ折りされたバンド１の縁は縫い合わされたり、接着剤にて固着されて開かないように固定される。又はファスナーなどで閉じることも可能である。
【００１８】
図６はバンド１、バックル２、基板１１の他の展開図であり、同図に示すバンド１は前記実施例の場合と同じく２つ折りすることで基板１１を間に挟み込むことで取付けることが出来る。しかし、バンド１の折畳み方向が異なり、折畳み軸Ｍ−Ｍはバンド１の長手方向に対して垂直に設けている。
【００１９】
前記図２の場合と同じく、軸Ｍ−Ｍを中心として穴３ａ，３ｂが左右対称位置に貫通して設けられ、軸Ｍ−Ｍの右側には正方形のボックス穴７が設けられている。そして、該ボックス穴７の先端側には５個のＬＥＤ穴８，８・・が形成され、このＬＥＤ穴８，８・・には鳩目９，９・・が取着されている。電池ボックス６はボックス穴７に嵌り、ＬＥＤ４，４・・はＬＥＤ穴８，８・・に嵌り、その状態でバンド１は軸Ｍ−Ｍを中心として折畳まれ、図７に示すような首輪用バンドになる。
【００２０】
図８は本考案に係る首輪を示す他の実施例であり、バンドの縁には装飾用としてリベット１０，１０・・が固定されているが、首輪としての基本構成は前記実施例の場合と同じである。図９はバンド１を丸めて先端部をバックル２に連結してリングとした場合である。そして、図１０は本考案の首輪を犬の首に装着した場合を表している。
【００２１】
昼間の散歩に連れ出す場合には、ＬＥＤ４を点灯する必要はないが、夜間の場合はスイッチ５をＯＮしてＬＥＤ４を点灯し、該ＬＥＤ４からは光が照射される。前記ＬＥＤ４の周りは鳩目９で囲まれている為に、光は鳩目９の表面に当たって反射し、遠くまで光が届くようになる。すなわち、車のヘッドライトのように光が前記鳩目９から照射される。
【図面の簡単な説明】
【００２２】
【図１】本考案に係るペット用首輪の実施例。
【図２】首輪を構成するバンドの展開図。
【図３】展開状態のバンドにＬＥＤを取付けた基板を取付ける前の状態。
【図４】バンドに基板を取付けた状態。
【図５】バンド先端にバックルを取付けた状態で、本考案の首輪を表している。
【図６】展開状態のバンドにＬＥＤを取付けた基板、及びバックルを取付ける前の状態。
【図７】図６のバンドに基板及びバックルを取付けた本考案の首輪。
【図８】バンドの縁にリベットを固定した首輪。
【図９】バンドを丸めてリング状にした首輪。
【図１０】犬の首に首輪を装着した場合。
【符号の説明】
【００２３】
１  バンド
２  バックル
３  穴
４  ＬＥＤ
５  スイッチ
６  電池ボックス
７  ボックス穴
８  ＬＥＤ穴
９  鳩目
10  リベット
11  基板
【図１】
0003117123.tif 000003
【図２】
0003117123.tif 000004
【図３】
0003117123.tif 000005
【図４】
0003117123.tif 000006
【図５】
0003117123.tif 000007
【図６】
0003117123.tif 000008
【図７】
0003117123.tif 000009
【図８】
0003117123.tif 000010
【図９】
0003117123.tif 000011
【図１０】
0003117123.tif 000012